(57)【要約】【課題】尿とりパッドから男性器官全体が外れるのを抑えられるようにした使い捨て男性用おむつ及びその使用方法を提供する。【解決手段】液透過性のトップシート２と、液不透過性のバックシート３と、これらの間に配設される液吸収体４とを有する縦長矩形状のおむつ本体１を構成する。前記バックシート３の表面に撥水性を備えた２枚のシート材６を対設してバックシート３との間に空間部１０ができるように被覆すると共に、おむつ本体１の長手方向に沿って開口する重合部１２を設ける。使用時には、前記重合部１２を開いて左右のシート材６の内側端部をそれぞれ外側方に向けて反転させ、トップシート２側にひっくり返しておむつ本体１を内側に包み込むと共に、バックシート３の表面を外側に露出させ、裏返しされた２枚のシート材６によりトップシート２との間に新たな空間部ができるように被覆すると共に、おむつ本体１の長手方向に沿って開口する重合部が新たに設けられたパッドを形成する。【選択図】図４
2007167210.tif 000002
【特許請求の範囲】
【請求項１】
液透過性のトップシートと、液不透過性のバックシートと、これらの間に配設される液吸収体とを有する縦長矩形状のおむつ本体が構成され、前記バックシートの表面に撥水性を備えた２枚のシート材を対設してバックシートとの間に空間部ができるように被覆すると共に、前記おむつ本体の長手方向に沿って開口する重合部を設けてなることを特徴とする使い捨て男性用おむつ。
【請求項２】
前記シート材は、おむつ本体の長手方向に沿って複数の糸状又は紐状の弾性体がそれぞれ並設されていることを特徴とする請求項１に記載の使い捨て男性用おむつ。
【請求項３】
前記シート材は、前記重合部を開いて左右の内側端部をそれぞれ外側方に向けて反転させ、前記トップシート側にひっくり返して前記おむつ本体を内側に包み込むと共に、前記バックシートの表面を外側に露出させ、裏返しされた２枚のシート材によりトップシートとの間に新たな空間部ができるように被覆すると共に、前記おむつ本体の長手方向に沿って開口する重合部が設けられたパッドを形成し、このパッドにおける前記重合部を開いて男性器官全体を前記新たな空間部に挿入することで当該パッドを装着することを特徴とする請求項１又は請求項２に記載の使い捨て男性用おむつの使用方法。
【発明の詳細な説明】
【技術分野】
【０００１】
本発明は、使い捨て男性用おむつ及びその使用方法に関する。
【背景技術】
【０００２】
高齢者男性の失禁対策或いは介護のために、男性器官に装着して尿とりパッドとして使用される使い捨て男性用おむつが従来知られている。例えば、特許文献１に開示されている使い捨て男性用おむつは、液透過性のトップシートと、液不透過性のバックシートと、これら両シート間に配置される液吸収体とを具備し、実質的に縦長矩形に形成されてなり、幅方向中央部に位置する中央吸収部、及びこの中央吸収部の長手方向の両側にそれぞれ位置する一対のサイドフラップを有するものであって、一方のサイドフラップに撥水性部材が敷設され、この撥水性部材の表面に細帯状のおむつ組み立て用の固着部がおむつの長手方向に沿って設けられており、その固着部は一端がおむつの一端縁の近傍に位置し、他端がおむつの長手方向の中央よりもおむつの他端側に位置するように設けられ、上記中央吸収部におけるバックシートの表面におむつ固定用の粘着部が設けられ、上記固着部及び粘着部はそれぞれ剥離紙により被覆されている構成である。
【０００３】
そして、この使い捨て男性用おむつは、固着部の剥離紙を剥がして露出させた後、長手方向の真ん中近傍を中心線としておむつの一端側を内側に斜めに折り畳み、次いでおむつの他端側を先に折り畳んだ端部の折曲縁部に沿うように折り返して固着部を貼り付けることで先の尖ったほぼ三角形状の袋体に組み立て、更に粘着部の剥離紙を剥がして露出させることにより他のおむつ又は下着に貼り付けて使用に供する。
【０００４】
特許文献２においても、上記特許文献１のものと基本的に構成が類似する使い捨て男性用おむつが開示されている。更に、特許文献３に開示されている使い捨て男性用おむつは、液透過性のトップシート、液不透過性のバックシート及びこれら両シート間に配置される液吸収体により形成された中央吸収体部と、この中央吸収体部の長手方向の両側に位置する一対のサイドフラップと、中央吸収体部の長手方向の両側縁に位置し、トップシート及びバックシートにより形成された一対の端縁部とを有する吸収性本体からなり、この吸収性本体の長手方向の中央部を折曲部として長手方向に二つ折りにされ、互いに当接するサイドフラップが固着されてほぼカップ形状の袋体に構成されたものである。
【特許文献１】特許第３５１９１９２号公報
【特許文献２】特許第３５５８７３４号公報
【特許文献３】特開平９−１９４５２号公報
【発明の開示】
【発明が解決しようとする課題】
【０００５】
上記従来例の使い捨て男性用おむつは、使用時には三角形状又はカップ形状に組み立てられた袋体（パッド）に男性器官のうち陰茎のみを挿入し、且つパッドに設けた粘着部を介して他のおむつや下着に貼着することでずれ防止を図るようにしている。しかしながら、パッドの上端開口部が上方に向けて拡大しているため、歩行等の動きに伴って陰茎が外れる事態が発生し、パッドにより確実に尿とりできないという問題点があった。パッドの上端開口部には弾性部材を介在させてギャザー状に形成した収縮部が位置するようにして、上端開口部の上方への拡がりを小さく抑えるように配慮してあるが、現実には陰茎の外れを防ぐことはできなかった。
【０００６】
本発明は、このような従来の使い捨て男性用おむつにおける問題点を解決するためになされ、パッドから男性器官全体が外れるのを抑えられるようにした使い捨て男性用おむつ及びその使用方法を提供することを目的とする。
【課題を解決するための手段】
【０００７】
上記の目的を達成するための手段として、本発明の請求項１は、液透過性のトップシートと、液不透過性のバックシートと、これらの間に配設される液吸収体とを有する縦長矩形状のおむつ本体が構成され、前記バックシートの表面に撥水性を備えた２枚のシート材を対設してバックシートとの間に空間部ができるように被覆すると共に、おむつ本体の長手方向に沿って開口する重合部を設けてなる使い捨て男性用おむつを特徴とする。
【０００８】
本発明の請求項２は、請求項１に記載の使い捨て男性用おむつにおいて、前記シート材は、おむつ本体の長手方向に沿って複数の糸状又は紐状の弾性体がそれぞれ並設されていることを特徴とする。
【０００９】
本発明の請求項３は、前記シート材は、前記重合部を開いて左右の内側端部をそれぞれ外側方に向けて反転させ、前記トップシート側にひっくり返して前記おむつ本体を内側に包み込むと共に、前記バックシートの表面を外側に露出させ、裏返しされた２枚のシート材によりトップシートとの間に新たな空間部ができるように被覆すると共に、前記おむつ本体の長手方向に沿って開口する重合部が設けられたパッドを形成し、このパッドにおける前記重合部を開いて男性器官全体を前記新たな空間部に挿入することで当該パッドを装着する請求項１又は請求項２に記載の使い捨て男性用おむつの使用方法を特徴とする。
【発明の効果】
【００１０】
上記請求項１の発明によれば、液透過性のトップシートと、液不透過性のバックシートと、これらの間に配設される液吸収体とでおむつ本体が構成され、このおむつ本体はバックシートの表面に撥水性を備えた２枚のシート材を対設してバックシートとの間に空間部ができるように被覆すると共に、おむつ本体の長手方向に沿って開口する重合部を設けてあるので、男性器官全体を内部に挿入するための挿入口として利用することができる。これにより、男性器官全体を内部に挿入して外れを抑えることができる。
【００１１】
上記請求項２の発明によれば、前記シート材は、おむつ本体の長手方向に沿って複数の糸状又は紐状の弾性体がそれぞれ並設されているので、シート材に対しておむつ本体の長手方向に沿う伸縮性を付与することができる。これにより、シート材はおむつ本体１の長手方向に収縮しており、使用時には収縮状態の重合部を拡開して男性器官全体を挿入することになる。この結果、挿入後は弾性反発力によって重合部の開口に収縮作用が生じ、男性器官全体を保持することから男性器官全体の外れをほぼ確実に阻止することができる。
【００１２】
上記請求項３の発明によれば、請求項１又は請求項２に記載の使い捨て男性用おむつの使用に際して、前記シート材は、重合部を開いて左右の内側端部をそれぞれ外側方に向けて反転させ、トップシート側にひっくり返しておむつ本体を内側に包み込むと共に、バックシートの表面を外側に露出させ、裏返しされた２枚のシート材によりトップシートとの間に新たな空間部ができるように被覆すると共に、おむつ本体の長手方向に沿って開口する重合部が設けられたパッドを形成することができる。そして、このパッドにおける重合部を開いて男性器官全体を前記新たな空間部に挿入することにより、当該パッドを装着して使用することができる。このパッドは、男性器官全体を新たな空間部に挿入して保持しているため男性器官全体のはずれを抑えることができ、新たな空間部内に位置する液透過性のトップシートを通して液吸収体により尿を吸収することができる。これにより、パッドでの尿とりを確実に行うことができる。又、パッドの外表面には液不透過性のバックシートが位置し、外周端部は全周にわたって完全に閉じられており、手前側には撥水性のシート材が位置しているため、パッドの外部に尿が漏れ出ることはない。
【発明を実施するための最良の形態】
【００１３】
次に、本発明に係る使い捨て男性用おむつの一実施形態及びその使用方法について添付図面を参照しながら説明する。図１は、本発明に係る使い捨て男性用おむつの構成を示す模式的分解斜視図である。図２は、本発明に係る使い捨て男性用おむつを示す模式的平面図である。図３（ａ）は、図２におけるＸ−Ｘ線に沿う模式的断面図であり、図３（ｂ）は、図２におけるＹ−Ｙ線に沿う模式的断面図である。図４（ａ）は、本発明に係る使い捨て男性用おむつの開口部を少し開いた状態を示す概略斜視図であり、図４（ｂ）は、その模式的断面図である。図５（ａ）は、本発明に係る使い捨て男性用おむつにおいて、シート材を反転して形成したパッドの概略斜視図であり、（ｂ）はその模式的中央横断面図である。図６は、本発明に係る使い捨て男性用おむつにおいて、パッドの装着状態を示す概略斜視図である。図７は、図６における要部の模式的横断面図である。
【００１４】
図１において、１はおむつ本体であり、液透過性のトップシート２と、液不透過性のバックシート３と、これら両シート間に配設される液吸収体４とから構成される。トップシート２は、例えば織布、不織布、多孔性の軟質樹脂フィルム等を使用することができ、周縁部には撥水処理を施して尿が染み出さないようにすることが望ましい。バックシート３は、例えばポリエチレン等の軟質樹脂フィルムを用いることができ、好ましくは熱可塑性樹脂を延伸加工し且つエンボス処理を施すことにより感触の良いものとし、更に好ましくは通気性を具備するように形成する。液吸収体４は、例えばパルプを主材として高分子吸水ポリマーを併用したものが好ましく、その他熱可塑性樹脂、セルロース繊維、高分子吸収ポリマーの混合物を熱処理したものが良い。高分子吸水ポリマーは、自重の２０倍以上の液体を吸収して保持する性能を有し、ゲル化する性質を有する粒子状のものが好ましい。
【００１５】
おむつ本体１は、図２及び図３に示すようにトップシート２とバックシート３との間に所要の大きさの液吸収体４を配設して片寄りが生じないように保持し、トップシート２とバックシート３との外周端部同士を全周にわたって合着５することにより一体化して縦長矩形状に形成される。おむつ本体１の大きさは限定されないが、１回又は複数回の尿とりをするのに適した大きさに設定する。
【００１６】
おむつ本体１のバックシート３の表面には、撥水性を備えた２枚の縦長矩形状のシート材６を左右に対設する。これらのシート材６は、長手方向はバックシート３の長手方向とほぼ同じ寸法とし、幅方向はバックシート３の幅方向の半分より少し大きい寸法例えば２／３〜３／４に設定されている。このシート材６のうち一方のシート材（図２で右側のシート材）は外側端部及び両端部をバックシート３の外側端部及び両端部に合わせて貼着７し、内側端部は貼着しない。他方のシート材（図２で左側のシート材）は外側端部及び両端部をバックシート３の外側端部及び両端部に合わせて貼着８すると共に、両端部において先に貼着した右側の両端部に重なる部分を相互に貼着９し、内側端部は貼着しない。これにより、図３（ａ）、（ｂ）に示すように２枚のシート材６によってバックシート３との間に空間部１０ができるように被覆すると共に、おむつ本体１の長手方向に沿って開口１１する重合部１２（図２参照）が形成される。このシート材６は、例えばポリプロピレンを主材としてスパンボンド法並びにカード法により作られた撥水性を有する不織布を用いることができ、坪量は１３〜２５ｇ／ｍ２のものが好ましい。
【００１７】
図１及び図３（ａ）に示すように、上記シート材６にはおむつ本体１の長手方向に沿って複数の糸状又は紐状の弾性体１３がそれぞれ並設されている。この弾性体１３は例えばゴム製の細い線材を使用することができ、弾性体１３を伸張状態にてシート材６に取り付けることによりシート材６に対しておむつ本体１の長手方向に沿う伸縮性を付与してある。
【００１８】
本発明に係る使い捨て男性用おむつは、一例として上記実施形態のように構成されており、図４ないし図７を参照しながらその使用方法について説明する。この使い捨て男性用おむつは、説明の便宜上図１及び図２において平らな形状として表示したが、前記のようにシート材６が弾性体１３によっておむつ本体１の長手方向に収縮されているため、実際は図４に示すようにシート材６側は長手方向の寸法がかなり短縮されており、この短縮に伴っておむつ本体１は平面状ではなく外側に湾曲した屈曲状態になっている。
【００１９】
先ず、図４（ａ）に示すようにシート材６の重合部１２における開口１１を利用して２枚のシート材６の内側端部を左右に開くと共に、図４（ｂ）に示すようにその内側端部をそれぞれ外側方に向けて反転させる。そして、図５（ｂ）に示すように左右のシート材６をトップシート２側にひっくり返しておむつ本体１を内側に包み込むと共に、バックシート３の表面を外側に露出させる。これにより、前記空間部１０は消滅し、裏返しされた２枚のシート材６によりトップシート２との間に新たな空間部１４ができるように被覆すると共に、おむつ本体１の長手方向に沿って開口１５する重合部１６が新たに設けられたパッド１７を形成することができる。図５（ａ）はそのパッド１５の概略斜視図を示している。
【００２０】
次に、図６及び図７に示すように裏返しされた２枚のシート材６の重合部１６における開口１５を利用してシート材６の内側端部を左右に開き、その開口部から男性器官１８全体（陰茎及び陰嚢）を前記新たな空間部１４内に挿入することによりパッド１７を装着する。男性器官１８全体を挿入する際、シート部材６の開口部は左右方向に拡開されるため、おむつ本体１の長手方向に沿って収縮状態で位置している複数の弾性体１３が直角方向（おむつ本体１の幅方向）の外力を受けてほぼ湾曲状に変形する。この結果、男性器官１８全体の挿入後において、弾性体１３の反発力によって開口部に収縮作用が生じて窄み、男性器官１８全体を保持することから男性器官１８全体の外れをほぼ確実に阻止することができる。
【００２１】
図７に示すように、新たな空間部１４内には液透過性のトップシート２が男性器官１８全体に臨んで位置しており、このトップシート２を通して液吸収体４により尿を吸収することができる。これにより、パッド１７での尿とりを確実に行うことができる。又、パッド１７の外表面には液不透過性のバックシート３が位置し、外周端部は全周にわたって完全に閉じられており、手前側には撥水性のシート材６が位置しているため、パッド１７の外部に尿が漏れ出ることはない。
【００２２】
上記実施形態の使い捨て男性用おむつは、使用前の状態ではバックシート３が内側に位置しており、使用時には左右のシート材６を反転しひっくり返してバックシート３を外側に位置させるように変形するものであるから、多少面倒くさい印象を与える。しかしながら、シート材６を裏返してパッド１７を形成した時に、シート材６における弾性体１３により袋状態を適切に保持することができ、又図５（ｂ）のように内側もふっくらとした袋状態になるため男性器官１８全体の挿入がし易くなり、且つ挿入後に弾性体１３に適度のテンションが掛かってパッド１７の装着フィット感を向上させることができる。
【産業上の利用可能性】
【００２３】
本発明は、使い捨て男性用おむつに利用することができ、特に尿とりパッドとして好適に適用することができる。
【図面の簡単な説明】
【００２４】
【図１】本発明に係る使い捨て男性用おむつの構成を示す模式的分解斜視図である。
【図２】本発明に係る使い捨て男性用おむつの実施形態を示す模式的平面図である。
【図３】（ａ）は、図２におけるＸ−Ｘ線に沿う模式的断面図であり、（ｂ）は、図２におけるＹ−Ｙ線に沿う模式的断面図である。
【図４】（ａ）は、本発明に係る使い捨て男性用おむつの開口部を少し開いた状態を示す概略斜視図であり、（ｂ）は、その模式的断面図である。
【図５】（ａ）は、本発明に係る使い捨て男性用おむつにおいて、シート材を反転して形成したパッドの概略斜視図であり、（ｂ）はその模式的中央横断面図である。
【図６】本発明に係る使い捨て男性用おむつにおいて、パッドの装着状態を示す概略斜視図である。
【図７】図６における要部の模式的横断面図である。
【符号の説明】
【００２５】
１  おむつ本体
２  トップシート
３  バックシート
４  液吸収体
５  合着
６  シート材
７、８、９  貼着
１０  空間部
１１  開口
１２  重合部
１３  弾性体
１４  空間部
１５  開口
１６  重合部
１７  パッド
１８  男性器官
【図１】
2007167210.tif 000003
【図２】
2007167210.tif 000004
【図３】
2007167210.tif 000005
【図４】
2007167210.tif 000006
【図５】
2007167210.tif 000007
【図６】
2007167210.tif 000008
【図７】
2007167210.tif 000009